(57)【特許請求の範囲】
【請求項１】
腕時計用ムーブメントにおいて回転可能なスタッフ（２）にマウントされた歯車（１）のためのポジショニング機構であって、
当該ポジショニング機構は、前記歯車（１）の前記スタッフ（２）上に設けられた少なくとも１つの平坦部（６）と連係するように構成している平坦な側方縁部（４）があるポジショニングレバー（３）を有し、
当該ポジショニングレバー（３）は、前記腕時計用ムーブメントにおいて設けられたピボットピン（１０）のまわりを回転することができるようにマウントされるように構成しているピボットアーム（８）と、前記平坦な側方縁部（４）があり連接された形態で前記ピボットアーム（８）にマウントされたポジショニング要素（１４）と、及び前記歯車（１）の前記スタッフ（２）に対する前記ピボットアーム（８）上の前記ポジショニング要素（１４）の位置を調整しロックする手段とを有する
ことを特徴とするポジショニング機構。
【請求項２】
前記ポジショニング要素（１４）は、前記歯車（１）の前記スタッフ（２）の方に面している前記平坦な側方縁部（４）がある外側端（１４ａ）と、及び前記ピボットアーム（８）の前記ピボットピン（１０）の方に面している内側端（１４ｂ）とを有するように、前記ピボットアーム（８）上に重なり合うようにマウントされる
ことを特徴とする請求項１に記載のポジショニング機構。
【請求項３】
前記ポジショニング要素（１４）は、その外側端（１４ａ）を介して前記ピボットアーム（８）上に設けられたピボット（１６）によって連接した形態で前記ピボットアーム（８）にマウントされる
ことを特徴とする請求項２に記載のポジショニング機構。
【請求項４】
前記歯車（１）の前記スタッフ（２）に対する前記ピボットアーム（８）上の前記ポジショニング要素（１４）の位置を調整する手段は、前記ピボットアーム（８）にマウントされ前記ポジショニング要素（１４）と連係するように構成している偏心機構（２２）を有する
ことを特徴とする請求項１〜３のいずれかに記載のポジショニング機構。
【請求項５】
前記歯車（１）の前記スタッフ（２）に対する前記ピボットアーム（８）上の前記ポジショニング要素（１４）の位置をロックする手段は、前記ピボットアーム（８）にマウントされ前記ピボットアーム（８）に前記ポジショニング要素（１４）を固定するように構成しているクランプねじ（２４）を有する
ことを特徴とする請求項１〜４のいずれかに記載のポジショニング機構。
【請求項６】
前記ポジショニング要素（１４）には、前記ポジショニング要素（１４）の位置を調整する手段と連係するように構成している第１の細長開口（１８）、及び前記ポジショニング要素（１４）の位置をロックする手段と連係するように構成している第２の細長開口（２０）がある
ことを特徴とする請求項１〜５のいずれかに記載のポジショニング機構。
【請求項７】
前記ピボットアーム（８）のための保持ばね（２６）を有する
ことを特徴とする請求項１〜６のいずれかに記載のポジショニング機構。
【請求項８】
請求項１〜７のいずれかに記載のポジショニング機構を有する回転可能なスタッフ（２）にマウントされた歯車（１）を有する腕時計用ムーブメント
【発明の詳細な説明】
【技術分野】
【０００１】
本発明は、機械式腕時計製造の分野に関する。本発明は、特に、腕時計用ムーブメントにおける回転可能なスタッフにマウントされた歯車のためのポジショニング機構に関し、当該ポジショニング機構は、歯車のスタッフに設けられた平坦部と連係するように構成している平坦な側方縁部があるポジショニングレバーを有する。また、本発明は、このようなポジショニング機構を有する腕時計用ムーブメントに関する。
【背景技術】
【０００２】
このようなポジショニング機構は、例えば、国際特許出願ＷＯ２０１４／０７６２６２に記載されている。この先行文献を参照によって本明細書に組み入れる。この機構は、ピニオン９６、９８、１００のスタッフに設けられた平坦部９７と連係するように構成している平坦な側方縁部があるポジショニングレバー１０１を有し、情報キャリヤの変位サイクルが完了したときにピニオン９６、９８、１００を完全に回転させて再ポジショニングさせるように用いられる。
【０００３】
しかし、この機構では、ポジショニングレバーを精密に調整することができない。このような精密な調整は、腕時計製造の分野において頻繁に求められることである。特に、このような機構によっては、長い間にわたって別の歯列と連係するように意図された初期のポジショニング又は正確な再ポジショニングを確実にすることができない。この結果、一時的な停止の後に歯車を開始したり再開したりするときの係合の不具合のリスクが大きくなる。
【発明の概要】
【発明が解決しようとする課題】
【０００４】
本発明は、特に、上記の機構の課題を解決することを目的とする。
【０００５】
特に、本発明の１つの目標は、長い期間にわたって別の歯車と連係するように意図された歯車のためのポジショニング機構であって、ポジショニングレバーの精密な調整を可能にするものを提供することである。これによって、歯車の正確な初期のポジショニングや再ポジショニングを確実にして、特に、歯車の一時的な停止の後に、前記歯車どうしの間の係合に問題が発生しないことを確実にする。
【課題を解決するための手段】
【０００６】
このために、本発明は、腕時計用ムーブメントにおいて回転可能なスタッフにマウントされた歯車のためのポジショニング機構に関し、当該ポジショニング機構は、前記歯車の前記スタッフ上に設けられた少なくとも１つの平坦部と連係するように構成している平坦な側方縁部があるポジショニングレバーを有する。
【０００７】
本発明によると、当該ポジショニングレバーは、前記腕時計用ムーブメントにおいて設けられたピボットピンのまわりを回転することができるようにマウントされるように構成しているピボットアームと、前記平坦な側方縁部があり連接された形態で前記ピボットアームにマウントされたポジショニング要素と、及び前記歯車の前記スタッフに対する前記ピボットアーム上の前記ポジショニング要素の位置を調整しロックする手段とを有する。
【０００８】
また、本発明は、上で定められたポジショニング機構を有する回転可能なスタッフにマウントされた歯車を有する腕時計用ムーブメントに関する。
【０００９】
本発明に係るポジショニング機構によって、ポジショニングレバーの非常に精密な調整を確実にすることが可能になる。これによって、特に、前記歯車の一時的な停止の後に、前記歯車の正確なポジショニングないし再ポジショニングを確実にする。
【００１０】
単純な説明用の非限定的な例として与えられる本発明の特定の実施形態についての以下の説明を添付の図面を参照しながら精読することによって、本発明の他の特徴及び利点をより明確に理解することができるであろう。
【図面の簡単な説明】
【００１１】
【図１】本発明に係るポジショニング機構を上方から見た図である。
【図２】図１における機構を下方から見た等角図である。
【図３】図３及び４は、２つの異なる調整位置における本発明に係るポジショニング機構を上方から見た図である。
【図４】図３及び４は、２つの異なる調整位置における本発明に係るポジショニング機構を上方から見た図である。
【図５】歯車が動作位置にある本発明に係るポジショニング機構を上方から見た図である。
【図６】歯車が停止位置にある本発明に係るポジショニング機構を上方から見た図である。
【発明を実施するための形態】
【００１２】
本明細書において、「歯車」という表現は、広い意味で解釈されるべきであり、ディスク、車、冠状体、ピニオンのような少なくとも１つの歯付き区画を有する任意の環状要素をも表している。
【００１３】
図１及び２を参照すると、ここでは、腕時計用ムーブメントにおける回転可能なスタッフ２にマウントされた歯車１のためのポジショニング機構を示している。歯車１は、腕時計用ムーブメントの機構の別の歯列（図示せず）と、特に、周期ごと又はサイクルごとに、連係するように構成している。歯車１は、その初期位置又は当該機構によって決められる任意の他の位置において、周期又はサイクルの終わりにて停止する。特に、歯車１は、例えば、国際特許出願ＷＯ２０１４／１７６２６２に記載されている反転ピニオン９６〜９８及び１００に対応しており、これらの反転ピニオンは、その変位サイクルの間に時計回り及び反時計回りの方向にアームのアクチュエート用車を回転させるように設けられる。アームが変位サイクルを実行した後には、反転ピニオンは、次のサイクルの間に当該機構の異なる歯列と再び問題を発生させずに係合できるようにするように初期位置へと特定の手法で戻らなければならない。本明細書の残りにおいて、歯車１は、反転ピニオン９６〜９８又は１００、又は腕時計機構の任意の他の歯車に対応しており、この腕時計機構は、特に、当該歯車が所定の角度にわたって回転した後に停止したときに、歯の非常に正確な再ポジショニングを必要とするものである。
【００１４】
歯車１が停止した後の歯車１の正確なポジショニングを確実にするために、歯車４のスタッフ２に設けられた平坦部６と連係するように構成している平坦な側方縁部４を有するポジショニングレバー３を提案する。平坦部６は、歯車１が所定の角度にわたって回転した後に停止したときにポジショニングレバー３の側方縁部４の方に面しているように位置するように、スタッフ２にて形成される。
【００１５】
本発明によると、ポジショニングレバー３は、腕時計用ムーブメントにおいて設けられるピボットピン１０のまわりを回転可能なようにマウントされるように構成しているピボットアーム８を有する。このために、ピボットアームには、一方の端部分において、ピボットピン１０に接するように回転可能なようにマウントされているリング１２がある。他方の端部分は、自由端となっており、ピボットアーム８は、平坦な側方縁部４があるポジショニング要素１４を支持している。特に、ポジショニング要素１４は、歯車１のスタッフ２の方に面している平坦な側方縁部４がある外側端１４ａがあり、内側端１４ｂがピボットアーム８のピボットピン１０の方に面しているようにして、ピボットアーム８に重なるようにマウントされる。ポジショニング要素１４は、その外側端１４ａを介して、ピボットアーム８に連接した形態で、ピボットアーム８の自由端において設けられポジショニング要素１４の外側端１４ａにおいて交差するようにマウントされたピボット１６によって、マウントされる。
【００１６】
特に図３〜６を参照すると、ポジショニング要素１４には、その外側端１４ａとその内側端１４ｂの間に、ピボットアーム８の長手方向に配置された第１の細長開口１８、及びピボットアーム８の横断方向に設けられた第２の細長開口２０がある。第１及び第２の細長開口１８、２０は、チャネル２３によってリンクされる。第１の開口１８は、ポジショニング要素１４の位置を調整する手段と連係するように構成しており、第２の開口２０は、ポジショニング要素１４の位置をロックする手段と連係するように構成している。
【００１７】
好ましいことに、歯車１のスタッフ２に対するピボットアーム８上のポジショニング要素１４の位置を調整する手段は、ピボットアーム８にマウントされポジショニング要素１４と連係するように構成している偏心機構２２を有する。特に、偏心機構２２は、第１の細長開口１８内に収容されることによってピボットアーム８にマウントされる。これは、第１の細長開口１８の縁部と連係することができるように行われ、これによって、調整時にポジショニング要素１４がピボット１６のまわりを回転するようにする。
【００１８】
好ましくは、歯車１のスタッフ２に対するピボットアーム８上のポジショニング要素１４の位置をロックする手段は、ピボットアーム８にマウントされたクランプねじ２４を有し、ポジショニング要素１４をピボットアーム８に固定するように構成している。特に、このクランプねじ２４は、ポジショニング要素１４の第２の細長開口２０を通してピボットアーム８にマウントされる。したがって、ポジショニング要素１４は、調整のために回転されるときに、クランプねじ２４のまわりを動くことができる。
【００１９】
また、ピボットアーム用の保持ばね２６も提案されている。図２に示すように、保持ばね２６は、ピボットピン１０にマウントされ、ピボットアーム８にマウントされた偏心機構２２にフックされる。
【００２０】
本発明に係るポジショニング機構の動作は、以下のとおりである：
当該機構の設置の時点において、ポジショニング要素１４は、歯車１が所定の角度にわたって回転した後に歯車１がその停止位置に対応する位置にあるときに、平坦な側方縁部４がポジショニング要素１４の方に面している歯車１のスタッフ２に設けられた平坦部６と整列するようにポジショニングされる。ポジショニング要素１４は、歯車１を正確に再ポジショニングするために平坦部６を押して、これによって、歯車１の歯列が、歯車１の次の再開始に関連づけられた機構と問題なく係合するようにされる。
【００２１】
平坦部６に対するポジショニングレバー３の影響を可能な限り効果的にするために、平坦な側方縁部４が平坦部６と完全に整列していることが必要である。したがって、ポジショニングレバー３の位置は、非常に精密に調整されていなければならない。このために、ポジショニング要素１４は、図３及び４に示すように、ポジショニング要素１４の角度位置αが多かれ少なかれピボットアーム８に対して変わるように、第１の細長開口１８の縁部と連係する偏心機構２２によってピボット１６のまわりを回転する。第２の細長開口２０は、調整ねじがピボットアームにマウントされているまま、ポジショニング要素１４が変位することを可能にする。平坦な側方縁部４を平坦部６と完全に整列させるようにポジショニング要素１４の角度位置αが調整されると、ポジショニング要素１４は、クランプねじ２４によってピボットアーム８に固定される。
【００２２】
図５を参照すると、当該機構の動作時に、ポジショニングレバー３は、歯車１のスタッフ２の丸まった面によって持ち上げられる。歯車１が平坦部６の位置に対して定められた角度にわたって回転すると、平坦部６は、ピボットレバー３の方に面するように到来し、このピボットレバー３は、その保持ばね２６によって戻されるにしたがって下げられる。歯車１が止まると、図６に示すように、ポジショニング要素１４の平坦な側方縁部４は、歯車１の歯列を再ポジショニングするために、スタッフ２の平坦部６を押す。ポジショニング要素１４の非常に精密な調整のおかげでポジショニング要素１４の側方縁部４がスタッフ２の平坦部６と整列することによって、歯車１の正確な再ポジショニングが可能になる。これによって、歯車１の歯列が次の再開始に関連づけられた機構と問題なく係合することができるようになる。
【図１】
0006484758.tif 000002
【図２】
0006484758.tif 000003
【図３】
0006484758.tif 000004
【図４】
0006484758.tif 000005
【図５】
0006484758.tif 000006
【図６】
0006484758.tif 000007